(57)【特許請求の範囲】
【請求項１】
熱可塑性透明樹脂薄板の成形加工によって所定の電池収納構造が形成された電池用ブリスターケースにおいて、
（１）複数本の円筒型電池を横方向に密に並べて一括収納するトレー状容器部が形成され、
（２）上記容器部の底には、一括収納された電池列の下側面が形状適合しながら嵌着する円弧状凹溝列が形成され、
（３）端子方向を揃えて一括収納された電池の正極端子が位置する上記容器部の側面に、その正極端子の突起を嵌入させる収納凹部が形成され、
（４）上記電池の負極端子側筒端を容器部の開口端側から係止して保持する凸部が形成されている、
ことを特徴とする電池用ブリスターケース。
【請求項２】
請求項１の発明において、前記収納凹部を電池ごとに独立して形成したことを特徴とする電池用ブリスターケース。
【請求項３】
請求項１の発明において、前記収納凹部を電池間で連続するように形成したことを特徴とする電池用ブリスターケース。
【請求項４】
請求項１〜３のいずれかの発明において、前記容器部の開口縁から前記収納凹部に接続する正極端子導入用のガイド溝を形成するとともに、そのガイド溝の中間部を正極端子の突起部よりも狭幅に形成したことを特徴とする電池用ブリスターケース。
【請求項５】
請求項１〜４のいずれかの発明において、前記凸部が電池の外装筒端部を係止するように形成されていることを特徴とする電池用ブリスターケース。
【請求項６】
請求項１〜４のいずれかの発明において、前記凸部が電池の外装筒と負極端子間の段差部を係止するように形成されていることを特徴とする電池用ブリスターケース。
【発明の詳細な説明】
【０００１】
【発明の属する技術分野】
この発明は電池用ブリスターケースに関し、とくに、複数本の円筒型電池を店頭陳列に適した状態でディスプレイ包装するのに利用して有効なものに関する。
【０００２】
【従来の技術】
たとえば単３型電池等の円筒型電池は通常、あらかじめ複数本ずつディスプレイ包装されて流通市場に供されるが、その包装手段として、いわゆるブリスターケースが多く使用されている。電池用ブリスターケースは、ペット樹脂等の熱可塑性透明樹脂薄板に真空金型成形加工により電池収納部を一体形成したものであって、たとえば図５または図６に示すように、電池４０を収納して台紙３０に貼り付けることにより、吊り下げ型のディスプレイパッケージを形成する。
【０００３】
従来、この種の電池用ブリスターケース１０としては、図５に示すように、単一のトレー状容器部１２１に複数本の電池４０を並べて一括収納するタイプと、図６に示すように、複数の容器部１２２に電池４０を１本ずつ個別に収納するタイプとがある。
【０００４】
前者の一括収納タイプには、次のような利点があった。
（１）複数本の電池を密に並べて一括収納できるので、スペース利用効率が高く、ケースサイズを小さくして店頭陳列スペースを節約できる。
（２）形状が比較的単純なので、金型成形時の型抜きが容易で、生産性が良い。
（３）一括収納なので、ケースに電池を収納する際の作業効率が良い。
（４）ケースサイズを小さくできる分、成形材料費を低減できるとともに、材料および工程当たりの製品取り数を多くすることができる。台紙を貼り付けてパッケージを作成する際も、材料および工程当たりの製品取り数を多くすることができる。また、使用済みとなった場合の廃棄物発生量を少なくできる。
【０００５】
一方、後者の個別収納タイプには、次のような利点があった。
（１）電池を１本ずつ個別に収納するので、各電池の保持を確実に行わせることができる。これにより、台紙を剥がしてパッケージを開封した際に電池がばらけて落ちるのを防止できる。また、輸送や不慮の落下による衝撃で電池が飛び出すのも防止できる。
（２）電池を１本ずつ個別に収納することで、輸送等の扱い中に電池が勝手に回転しないように確実に保持することができる。これにより、電池のラベル面を常に同一方向に揃えて商品陳列のアピール効果を高めることができる。
【０００６】
【発明が解決しようとする課題】
図５に示した一括収納タイプには、次のような問題があった。
（１）複数本の電池を一括収納すると、パッケージの開封時に電池がばらけて落ちやすい。また、輸送や不慮の落下による衝撃で電池が飛び出すということも起きやすい。
（２）輸送等の扱い中にパッケージ内の電池がそれぞれ勝手に回転するのを防ぐことができない。電池が勝手に回転すると、電池のラベル方向が不揃いになって商品陳列のアピール効果が損なわれる。
【０００７】
一方、図６に示した個別収納タイプには、次のような問題があった。
（１）複数の容器部を形成するのでスペース利用効率が悪く、ケースサイズが大きくなってしまう。その分、大きな商品陳列スペースが必要となる。
（２）電池を確実に保持するためには、電池側胴部を半周以上取り囲んで包み込む空洞状の容器部を形成する必要があるが、このような空洞形状は型抜き性が悪く、生産性を低下させる。
（３）電池を個別に収納するので包装の作業効率が悪い。
（４）ケースサイズが大きくなる分、成形材料費が高くなり、材料および工程当たりの製品取り数が少なくなってしまう。台紙を貼り付けてパッケージを作成する際も、材料および工程当たりの製品取り数は少なくなってしまう。また、使用済みとなった場合の廃棄物発生量も多くなってしまう。
【０００８】
この発明は以上のような問題を鑑みてなされたもので、従来の一括収納タイプと個別収納タイプがそれぞれに有していた問題を解消し、両タイプの利点だけを背反することなく兼ね備えることができるようにしたブリスターケースを提供する。すなわち、生産性向上と低コスト化および商品陳列スペースの節約等に適した構造でもって、複数本の電池を、それぞれが勝手に回転しないように確実に保持しながら収納することができる電池用ブリスターケースを提供する。
【０００９】
【課題を解決するための手段】
本発明による手段は、熱可塑性透明樹脂薄板の成形加工によって所定の電池収納構造が形成された電池用ブリスターケースにおいて、
（１）複数本の円筒型電池を横方向に密に並べて一括収納するトレー状容器部が形成され、
（２）上記容器部の底には、一括収納された電池列の下側面が形状適合しながら嵌着する円弧状凹溝列が形成され、
（３）端子方向を揃えて一括収納された電池の正極端子が位置する上記容器部の側面に、その正極端子の突起を嵌入させる収納凹部が形成され、
（４）上記電池の負極端子側筒端を容器部の開口端側から係止して保持する凸部が形成されている、
ことを特徴とする電池用ブリスターケースとしている。
上記手段によれば、従来の一括収納タイプと個別収納タイプがそれぞれに有していた問題を解消し、両タイプの利点だけを背反することなく兼ね備えることができる。これにより、生産性向上と低コスト化および商品陳列スペースの節約等に適した構造でもって、複数本の電池を、それぞれのラベル面が一定方向に保たれるように確実に保持して収納することができる。
【００１０】
上記手段において、正極端子の収納凹部は、電池ごとに独立して形成するのが適当であるが、電池間で連続するように形成してもよい。また、上記容器部の開口縁から上記収納凹部に接続する正極端子導入用のガイド溝を形成するとともに、そのガイド溝の中間部を正極端子の突起部よりも狭幅に形成することにより、電池の保持効果を損なうことなく、電池の収納と取り出しを円滑に行わせることができるようになる。負極端子側を係止して保持する凸部は、電池の外装筒端部を係止するように形成するか、または電池の外装筒と負極端子間の段差部を係止するように形成するとよい。
【００１１】
【発明の実施の形態】
図１は本発明によるブリスターケースの一実施例を示す。同図に示すブリスターケース１０は、ペット樹脂等の熱可塑性透明樹脂薄板を真空金型成形加工したものであって、電池４０を収納して台紙３０に貼り付けることにより、吊り下げ型のディスプレイパッケージを形成する。このブリスターケース１０には、複数本の円筒型電池４０を横方向に密に並べて一括収納する単一のトレー状容器部１２が形成されている。このトレー状容器部１２の底面には、一括収納された電池列の下側面が形状適合しながら嵌着する円弧状凹溝列１４が形成されている。
【００１２】
電池４０は突起状の正極端子４４と平坦状の負極端子４６がそれぞれ同側に揃うように並んだ状態で上記トレー状容器部１２に収納されるが、図２に示すように、正極端子４４側の容器側面（側壁面）には、その正極端子４４の突起を嵌入させる収納凹部１６が形成されている。また、負極端子４６側の容器側面（側壁面）には、その負極端子４６側の外装筒端をトレー状容器部１０の開口端側から係止して保持する凸部１８が形成されている。この凸部１８は横一列に並んで収納された各電池４０の間に介在するように形成されている。
【００１３】
上述したブリスターケース１０は、全体としては上側への回り込みがほとんどない開放トレー状の容器部１２を形成するので、金型成形加工時の型抜き性が良好で生産性にすぐれている。電池４０は密に並んだ状態で一括収納されるので、スペース利用効率が高く、ケースサイズを小さくして店頭陳列スペースを節約できる。電池は複数本一括して収納できるので、ケース１０に電池４０を収納する包装の作業性も良い。ケースサイズを小さくできる分、成形材料費を低減できるとともに、材料および工程当たりの製品取り数を多くすることができる。台紙３０を貼り付けてパッケージを作成する際も、材料および工程当たりの製品取り数を多くすることができる。そして、使用済みとなった場合の廃棄物発生量を少なくできる。
【００１４】
また、上述したブリスターケース１０では、トレー状容器部１２に収納した各電池４０が上記凹部１６と上記凸部１８で両端から係止・保持されることによって、各電池４０がそれぞれ容器部１２内に確実に保持されるが、これにより、パッケージの開封時に電池がばらけて落ちるのを防止することができる。同様に、輸送や不慮の落下による衝撃によって電池が飛び出すのも防止することができる。なお、上記凹部１６と上記凸部１８による電池の係止および保持の効果は、電池とケース間に働く適度の摩擦抵抗およびケースの可撓性によるバネ効果を伴って作用するので、電池４０の収納および取り出しが阻害されるようなことにはならない。
【００１５】
さらに、上記トレー状容器部１０内の各電池４０はそれぞれ、容器部１０底面の円弧状凹溝列１４に形状適合状態で嵌着するとともに、上記凹部１６と上記凸部１８によって両端を係止・保持されることにより、輸送等の扱い中に勝手に回転しないように確実に保持される。これにより、電池の表示ラベル４２面を常に一定方向に揃えて保持し、商品陳列のアピール効果を高めることができる。
【００１６】
図３は電池４０の正極端子４４側端を係止・保持する収納凹部１６の実施例を示す。この凹部１６は、同図の（ａ）に示すような独立形状が望ましいが、（ｂ）に示すような連続形状にしてもよい。また、（ｃ）に示すように、上記凹部１６を独立形状にするとともに、各凹部１６に正極端子４４を導入させるガイド溝２０を形成するとともに、そのガイド溝２０の中間部を正極端子４４の突起部よりも狭幅に形成すれば、電池４０の保持効果を損なうことなく、その電池４０の収納と取り出しを円滑に行わせることができるようになる。
【００１７】
図４は電池４０の負極端子４６側の係止・保持する凸部１８の実施例を示す。
同図において、（ａ）は電池４０の外装筒端を係止するように上記凸部１８を形成した例を示す。また、（ｂ）、（ｃ）は電池４０の外装筒と負極端子間の段差部４８を係止するようにそれぞれ凸部及び環状凸部１８を形成した例を示す。いずれの場合も、電池４０の負極端子側４６の筒端を係止して保持することができる。
【００１８】
［実施例］
単３電池６本を収納するブリスターケースを同種の熱可塑性透明樹脂薄板を用いて３種類（本発明品、従来品１、従来品２）作製し、それぞれに同種の台紙を組合わせてディスプレイパッケージを作製した。各ブリスターケースの構成は次のとおりである。
本発明品：図１および図２に示した実施例にしたがって作製。
従来品１：図５に示した一括収納タイプとして作製。
従来品２：図６に示した個別収納タイプとして作製。
上記３種類のブリスターケースについて、Ａ：ケース寸法（ｍｍ）、Ｂ：縦寸法比（縦寸／幅寸）、Ｃ：輸送によって回転が生じた電池数（３００本中）、Ｄ：１５０ｃｍから落下させた後の電池飛び出し発生数（１０ケース中）、Ｅ：５００×４００ｍｍサイズの樹脂薄板からの取り数をそれぞれ検証したところ、次の表１に示すような結果を得た。
【００１９】
【表１】
0004809997.tif 000002
【００２０】
上記表１からもあきらかなように、本発明によるブリスターケースは、従来の一括収納タイプと個別収納タイプがそれぞれに有していた問題を解消し、両タイプの利点だけを背反することなく兼ね備えることができる。これにより、生産性向上と低コスト化および商品陳列スペースの節約等に適した構造でもって、複数本の電池を、それぞれのラベル面が一定方向に保たれるように確実に保持して収納することができる。
【００２１】
【発明の効果】
本発明は、上述したように、従来の一括収納タイプと個別収納タイプがそれぞれに有していた問題を解消し、両タイプの利点だけを背反することなく兼ね備えることができる。これにより、生産性向上と低コスト化および商品陳列スペースの節約等に適した構造でもって、複数本の電池を、それぞれのラベル面が一定方向に保たれるように確実に保持して収納することができる。
【図面の簡単な説明】
【図１】本発明による電池用ブリスターケースの一実施例を示す斜視図である。
【図２】図１の一部を示す断面図である。
【図３】（ａ）、（ｂ）、（ｃ）はそれぞれ電池の正極端子側端を係止・保持する収納凹部の実施例を示す側面図である。
【図４】（ａ）、（ｂ）、（ｃ）はそれぞれ電池の負極端子側端の係止・保持する凸部の実施例を示す側面図およびその一部を示す断面図である。
【図５】従来の一括収納タイプのブリスターケースを示す斜視図である。
【図６】従来の個別収納タイプのブリスターケースを示す斜視図である。
【符号の説明】
１０  ブリスターケース
１２  トレー状容器部
１４  円弧状凹溝列
１６  収納凹部
１８  係止凸部
２０  ガイド溝
３０  台紙
４０  電池
４２  ラベル
４４  正極端子
４６  負極端子
４８  段差部
１２１  トレー状容器部（従来）
１２２  個別収納形式の容器部（従来）
【図１】
0004809997.tif 000003
【図２】
0004809997.tif 000004
【図３】
0004809997.tif 000005
【図４】
0004809997.tif 000006
【図５】
0004809997.tif 000007
【図６】
0004809997.tif 000008